(57)【要約】【課題】燃料電池システムのメンテナンスを効率的に行うことを可能とする。【解決手段】設備管理方法は、燃料電池システムから設備管理装置に対して、前記燃料電池システムの状態を示す情報要素を含む状態メッセージを受信するステップＡと、前記設備管理装置が、前記状態メッセージに基づいて、前記燃料電池システムのメンテナンスの実行が推奨される推奨時間を特定するための情報要素を含む通知メッセージを送信するステップＢとを備える。【選択図】図５
2020205261.tif 000002
【特許請求の範囲】
【請求項１】
燃料電池システムから設備管理装置が、前記燃料電池システムの状態を示す情報要素を含む状態メッセージを受信するステップと、
前記設備管理装置から所定端末に対して、前記状態メッセージに基づいて、前記燃料電池システムのメンテナンスの実行が推奨される推奨時間を特定するための情報要素を含む通知メッセージを送信するステップと、を備える、設備管理方法。
【請求項２】
前記推奨時間には、前記メンテナンスを実行することができない時間が含まれない、請求項１に記載の設備管理方法。
【請求項３】
前記推奨時間には、前記燃料電池システムの温度が原因で前記メンテナンスを実行することができない時間が含まれない、請求項２に記載の設備管理方法。
【請求項４】
前記推奨時間を特定するための情報要素は、前記推奨時間を示す情報要素を含む、請求項１乃至３のいずれかに記載の設備管理方法。
【請求項５】
前記推奨時間を特定するための情報要素は、前記燃料電池システムが停止動作を開始してから停止動作を完了するまでの停止所要時間を示す情報要素を含む、請求項１乃至４のいずれかに記載の設備管理方法。
【請求項６】
前記通知メッセージは、前記燃料電池システムが停止する停止動作の種別を示す情報要素及び前記燃料電池システムの異常が発生した時点における前記燃料電池システムの動作状態の種別を示す情報要素の少なくともいずれか一方を含む、請求項１乃至５のいずれかに記載の設備管理方法。
【請求項７】
前記通知メッセージは、前記燃料電池システムの異常部位を示す情報要素、前記燃料電池システムの温度環境を示す情報要素、及び前記燃料電池システムの設置環境を示す情報要素の少なくともいずれか１つを含む、請求項１乃至６のいずれかに記載の設備管理方法。
【請求項８】
燃料電池システムから、前記燃料電池システムの状態を示す情報要素を含む状態メッセージを受信する受信部と、
前記状態メッセージに基づいて、前記燃料電池システムのメンテナンスの実行が推奨される推奨時間を特定するための情報要素を含む通知メッセージを送信する送信部と、を備える、設備管理装置。
【発明の詳細な説明】
【技術分野】
【０００１】
本発明は、設備管理方法及び設備管理装置に関する技術である。
【背景技術】
【０００２】
複数の設備に関する様々な情報を管理する設備管理システムが知られている。様々な情報としては、設備に関する基本情報やメンテナンス情報が挙げられる。基本情報は、例えば、設置年月日、既定耐用年数及び定格消費電力等を含む。メンテナンス情報は、過去のメンテナンスの履歴を含む（例えば、特許文献１）。
【先行技術文献】
【特許文献】
【０００３】
【特許文献１】特開２００５−１８２３９９号公報
【発明の概要】
【０００４】
第１の開示に係る設備管理方法は、燃料電池システムから設備管理装置に対して、前記燃料電池システムの状態を示す情報要素を含む状態メッセージを受信するステップＡと、前記設備管理装置が、前記状態メッセージに基づいて、前記燃料電池システムのメンテナンスの実行が推奨される推奨時間を特定するための情報要素を含む通知メッセージを送信するステップＢとを備える。
【０００５】
第２の開示に係る設備管理装置は、燃料電池システムから、前記燃料電池システムの状態を示す情報要素を含む状態メッセージを受信する受信部と、前記状態メッセージに基づいて、前記燃料電池システムのメンテナンスの実行が推奨される推奨時間を特定するための情報要素を含む通知メッセージを送信する送信部とを備える。
【図面の簡単な説明】
【０００６】
【図１】図１は、実施形態に係る設備管理システム１００を示す図である。
【図２】図２は、実施形態に係る燃料電池システム３１０を示す図である。
【図３】図３は、実施形態に係る設備管理装置２００を示す図である。
【図４】図４は、実施形態に係る推奨時間の特定を説明するための図である。
【図５】図５は、実施形態に係る設備管理方法を示す図である。
【発明を実施するための形態】
【０００７】
以下において、実施形態について説明する。なお、以下の図面の記載において、同一又は類似の部分には、同一又は類似の符号を付している。但し、図面は模式的なものであり、各寸法の比率などは現実のものとは異なる場合があることに留意すべきである。
【０００８】
従って、具体的な寸法などは以下の説明を参酌して判断すべきものである。また、図面相互間においても互いの寸法の関係や比率が異なる部分が含まれる場合があることは勿論である。
【０００９】
［開示の概要］
近年では、上述した設備管理システムを用いて、設備の異常が検知された際に設備のメンテナンスを行う業者を手配する試みも行われている。
【００１０】
例えば、設備管理システムによって管理される設備が燃料電池システムである場合においては、設備の異常が検知された時点で燃料電池システムが高温であるケースが想定される。このようなケースにおいて、設備の異常が検知された際に業者を手配しても、燃料電池システムの温度が下がるまで燃料電池システムのメンテナンスを業者が行うことができない事態が考えられる。
【００１１】
以下に示す開示おいては、上述した課題を解決するために、燃料電池システムのメンテナンスを効率的に行うことを可能とする設備管理方法及び設備管理装置について説明する。
【００１２】
［実施形態］
（設備管理システム）
以下において、実施形態に係る設備管理システムについて説明する。図１に示すように、設備管理システム１００は、設備管理装置２００と、施設３００と、所定端末４００とを有する。図１では、施設３００として、施設３００Ａ〜施設３００Ｃが例示されている。設備管理装置２００及び施設３００は、ネットワーク１２０に接続されている。ネットワーク１２０は、設備管理装置２００と施設３００との間の回線、設備管理装置２００と所定端末４００との間の回線を提供すればよい。ネットワーク１２０は、例えば、インターネットである。ネットワーク１２０は、ＶＰＮなどの専用回線を提供してもよい。
【００１３】
設備管理装置２００は、施設３００に設けられる設備を管理する。設備管理装置２００の詳細については後述する（図３を参照）。
【００１４】
施設３００は、燃料電池システム３１０及びＥＭＳ３２０を有する。燃料電池システム３１０は、ガスなどの燃料を用いて発電を行う設備を含む。燃料電池システム３１０の詳細については後述する（図２を参照）。ＥＭＳ３２０は、施設３００に設けられる設備を制御する設備（Ｅｎｅｒｇｙ  Ｍａｎａｇｅｍｅｎｔ  Ｓｙｓｔｅｍ）である。
【００１５】
施設３００は、電力を消費する負荷設備を有していてもよい。負荷設備は、例えば、空調設備、照明設備、ＡＶ（Ａｕｄｉｏ  Ｖｉｓｕａｌ）設備などである。施設３００は、燃料電池システム３１０以外の分散電源を有していてもよい。分散電源は、例えば、太陽光、風力又は地熱などの自然エネルギーを利用して発電を行う設備を含んでもよく、蓄電池設備を含んでもよい。
【００１６】
所定端末４００は、施設３００に設けられる設備を管理する管理者が所持する端末であってもよい。所定端末４００は、施設３００に設けられる設備のメンテナンスを行う作業者が所持する端末であってもよい。所定端末４００は、発電事業者、送配電事業者或いは小売事業者などの事業者に属する端末であってもよい。所定端末４００は、スマートフォンであってもよく、タブレット端末であってもよく、パーソナルコンピュータであってもよい。
【００１７】
ここで、設備管理システム１００は、電力管理サーバを有していてもよい。電力管理サーバは、例えば、電力系統１１０から施設３００に対する潮流量の制御を要求する潮流制御メッセージ、施設３００から電力系統１１０に対する逆潮流量の制御を要求する逆潮流制御メッセージ、施設３００に設けられる燃料電池システム３１０（分散電源）の制御を要求する電源制御メッセージなどを施設３００に送信する。
【００１８】
（燃料電池システム）
以下において、実施形態に係る燃料電池システムについて説明する。図２は、実施形態に係る燃料電池システム３１０を示す図である。燃料電池システム３１０は、少なくとも燃料電池設備１５０を含む。燃料電池システム３１０は、貯湯設備１６０を含んでもよい。ここでは、燃料電池システム３１０は、燃料電池設備１５０及び貯湯設備１６０の双方を含むコジェネレーションシステムであるものとして説明を続ける。
【００１９】
燃料電池設備１５０は、ガスなどの燃料を用いて発電を行う設備である。貯湯設備１６０は、ガスなどの燃料を用いて湯を生成或いは水温を維持する設備である。具体的には、貯湯設備１６０は、貯湯槽を有しており、燃料の燃焼によって生じる熱又は燃料電池設備１５０の発電によって生じる排熱によって、貯湯槽から供給される水を温めて、温められた湯を貯湯槽に還流する。
【００２０】
図２に示すように、燃料電池設備１５０は、燃料電池１５１と、ＰＣＳ１５２と、ブロワ１５３と、脱硫器１５４と、着火ヒータ１５５と、ラジエータ１５６と、制御基板１５７とを有する。
【００２１】
燃料電池１５１は、燃料を用いて発電を行う設備である。具体的には、燃料電池１５１は、改質器１５１Ａと、セルスタック１５１Ｂとを有する。
【００２２】
改質器１５１Ａは、後述する脱硫器１５４によって付臭剤が除去された燃料から改質ガスを生成する。改質ガスは、水素及び一酸化炭素によって構成されるガスである。
【００２３】
セルスタック１５１Ｂは、後述するブロワ１５３から供給される空気（酸素）と改質ガスとの化学反応によって発電する。具体的には、セルスタック１５１Ｂは、複数のセルがスタックされた構造を有する。各セルは、燃料極と空気極との間に電解質が挟み込まれた構造を有する。燃料極には、改質ガス（水素）が供給され、空気極には、空気（酸素）が供給される。電解質において改質ガス（水素）及び空気（酸素）の化学反応が生じて、電力（ＤＣ電力）及び熱が生成される。
【００２４】
ＰＣＳ１５２は、燃料電池１５１から出力されたＤＣ電力をＡＣ電力に変換する設備（Ｐｏｗｅｒ  Ｃｏｎｄｉｔｉｏｎｉｎｇ  Ｓｙｓｔｅｍ）である。
【００２５】
ブロワ１５３は、燃料電池１５１（セルスタック１５１Ｂ）に空気を供給する。ブロワ１５３は、例えば、ファンによって構成される。ブロワ１５３は、セルスタック１５１Ｂの温度が許容温度の上限を超えないようにセルスタック１５１Ｂを冷却する。
【００２６】
脱硫器１５４は、外部から供給される燃料に含まれる付臭剤を除去する。燃料は、都市ガスであってもよく、プロパンガスであってもよい。
【００２７】
着火ヒータ１５５は、セルスタック１５１Ｂで化学反応しなかった燃料（以下、未反応燃料）に着火し、セルスタック１５１Ｂの温度を高温に維持するヒータである。すなわち、着火ヒータ１５５は、セルスタック１５１Ｂを構成する各セルの開口から漏れる未反応燃料に着火する。着火ヒータ１５５は、未反応燃料が燃焼していないケース（例えば、燃料電池設備１５０の起動時）において、未反応燃料に着火すればよいことに留意すべきである。そして、未反応ガスの燃焼が開始した後においては、セルスタック１５１Ｂから僅かずつ溢れ出る未反応燃料が燃焼し続けることによって、セルスタック１５１Ｂの温度が高温に維持される。
【００２８】
ラジエータ１５６は、貯湯設備１６０から燃料電池設備１５０に流れる水（以下、還流水）の温度が許容温度の上限を超えないように還流水を冷却する。ラジエータ１５６は、セルスタック１５１Ｂの温度が許容温度の上限を超えないようにセルスタック１５１Ｂを冷却してもよい。
【００２９】
制御基板１５７は、燃料電池１５１、ＰＣＳ１５２、ブロワ１５３、脱硫器１５４、着火ヒータ１５５及び制御基板１５７を制御する回路を搭載する基板である。
【００３０】
改質器１５１Ａ、ブロワ１５３、脱硫器１５４、着火ヒータ１５５及び制御基板１５７は、セルスタック１５１Ｂの動作を補助する補機の一例である。また、ＰＣＳ１５２の一部を補機として扱ってもよい。
【００３１】
燃料電池システム３１０の運転状態は、発電状態（発電中とも称する）、停止状態（停止中とも称する）、起動状態（起動中とも称する）、停止動作状態（停止動作中とも称する）、アイドル状態（アイドル中とも称する）などを含む。
【００３２】
発電状態は、燃料電池１５１による発電が行われている状態である。起動状態は、停止状態から発電状態に至る状態である。停止状態は、燃料電池１５１の動作が停止している状態である。停止動作状態は、発電状態から停止状態に至る状態である。アイドル状態は、燃料電池システム３１０から電力が出力されていないが、セルスタック１５１Ｂの温度が所定温度に維持される状態である。所定温度は、発電状態におけるセルスタック１５１Ｂの発電温度（例えば、６５０℃〜１０００℃）と同程度であってもおく、発電温度よりも低い温度（例えば、４５０℃〜６００℃）であってもよい。アイドル状態において、補機の電力は、燃料電池１５１から出力される電力によって賄われてもよく、他の分散電源（例えば、自然エネルギーを利用して発電を行う設備又は蓄電池設備）から供給される電力によって賄われてもよく、電力系統１１０から供給される電力によって賄われてもよい。
【００３３】
図２に示す例では、制御基板１５７は、燃料電池設備１５０に設けられる。しかしながら、実施形態はこれに限定されるものではない。燃料電池システム３１０は、ユーザ操作を受け付けるリモートコントローラを含み、制御基板１５７は、リモートコントローラに設けられてもよい。或いは、制御基板１５７が有する機能は、燃料電池設備１５０に設けられる基板及びリモートコントローラの双方によって実現されてもよい。
【００３４】
（設備管理装置）
以下において、実施形態に係る設備管理装置について説明する。図３に示すように、設備管理装置２００は、管理部２１０と、通信部２２０と、制御部２３０とを有する。
【００３５】
管理部２１０は、不揮発性メモリ又は／及びＨＤＤなどの記憶媒体によって構成されており、複数の施設３００に関する情報を管理する。
【００３６】
管理部２１０は、複数の施設３００のそれぞれに設けられる設備の基本情報を記憶してもよい。管理部２１０は、例えば、施設名、施設ＩＤ、設備名、設備ＩＤ、導入年、経年及び耐用年数を対応付けて記憶する。施設名は、設備が設置される施設３００の名称である。施設ＩＤは、施設３００を識別する識別子である。設備名は、設備の名称である。設備ＩＤは、設備を識別する識別子である。導入年は、設備が導入された年である。経年は、設備が導入されてから経過した年である。耐用年数は、設備のメーカ等によって定められており、設備を導入してから設備を適切に使用可能な期間を示す情報である。
【００３７】
管理部２１０は、複数の施設３００のそれぞれについて、複数の施設３００のそれぞれに設けられる設備のメンテナンス情報を記憶してもよい。管理部２１０は、例えば、施設名、設備名、メンテナンス日、メンテナンス概要及びメンテナンス詳細を対応付けて記憶する。管理部２１０は、これらの情報とともに、施設ＩＤ及び設備ＩＤを対応付けて記憶してもよい。施設名及び設備名は、上述した通りである。メンテナンス日は、メンテナンスが行われた日付である。メンテナンス概要は、メンテナンスの概要を示す情報であり、メンテナンス詳細は、メンテナンスの詳細を示す情報である。実施形態に係るメンテナンス情報は、少なくとも、将来において設備のメンテナンスを行うメンテナンス期間（予定）を含んでいればよい。メンテナンス情報は、過去において設備のメンテナンスを行ったメンテナンス期間を含んでいてもよい。
【００３８】
ここで、メンテナンスは、例えば、設備の劣化状態を調査する点検、点検時に軽微な手入れを行う保守、設備の不具合を処置する修繕、既存の設備を新しい設備に交換する取替等を含む。以下においては、メンテナンスが修繕又は取替であるケースについて主として説明する。
【００３９】
実施形態において、管理部２１０は、燃料電池システム３１０の温度環境を示す情報管理してもよい。温度環境を示す情報は、燃料電池システム３１０の設置場所における気温（屋内温度、屋外温度）、燃料電池システム３１０の設置場所における天気、燃料電池システム３１０の設置場所における風速、燃料電池システム３１０の設置場所における日射量のうち、少なくともいずれか１つのパラメータを含んでもよい。気温、風速及び日射量は、気象サーバなどの外部サーバから取得されてもよい。
【００４０】
管理部２１０は、燃料電池システム３１０の設置環境を示す情報を管理してもよい。設置環境を示す情報は、燃料電池システム３１０の設置場所が屋外であることを示すパラメータ、燃料電池システム３１０の設置場所が屋内であることを示すパラメータ、燃料電池システム３１０の設置場所が低層階（例えば、１階）であることを示すパラメータ、燃料電池システム３１０の設置場所が高層階（例えば、屋上）であることを示すパラメータのうち、少なくともいずれか１つのパラメータを含んでもよい。
【００４１】
通信部２２０は、通信モジュールによって構成されており、ネットワーク１２０を介して施設３００及び所定端末４００と通信を行う。通信部２２０は、燃料電池システム３１０の状態を示す情報要素を含む状態メッセージを受信する受信部を構成する。通信部２２０は、ＥＭＳ３２０を介して、燃料電池システム３１０から状態メッセージを受信してもよく、ＥＭＳ３２０を介さずに、燃料電池システム３１０から状態メッセージを受信してもよい。通信部２２０は、燃料電池システム３１０のメンテナンスの実行が推奨される推奨時間を特定するための情報要素を含む通知メッセージを所定端末４００に送信する送信部を構成する。推奨時間を特定するための情報要素は、後述する制御部２３０によって特定される推奨時間を示す情報要素である。
【００４２】
ここで、状態メッセージは、燃料電池システム３１０が停止する停止動作の種別（以下、停止動作種別）を示す情報要素を含んでもよい。停止動作種別は、例えば、通常停止及びシャットダウンである。通常停止とは、燃料電池１５１による発電を停止するが、ブロワ１５３又はラジエータ１５６を停止せずに、ブロワ１５３又はラジエータ１５６を用いてセルスタック１５１Ｂの温度を下げながら、燃料電池システム３１０の動作を停止する動作である。一方で、シャットダウンは、燃料電池１５１による発電だけではなく、燃料電池システム３１０の全体の動作を停止する動作である。通常停止の動作は、例えば、相対的に軽微な異常（以下、第１異常）に応じて実行される動作、若しくは、燃料電池システム３１０の定期メンテナンスで実行される動作である。一方、シャットダウンの動作は、例えば、相対的に重大な異常（以下、第２異常）に応じて実行される動作、若しくは、通常停止を行えない状態で実行される動作である。第２異常は、第１異常よりも重大な異常である。
【００４３】
状態メッセージは、異常が発生した時点における燃料電池システム３１０の動作状態の種別（以下、動作状態種別）を示す情報要素を含んでもよい。動作状態種別は、例えば、発電状態、停止状態、起動状態、停止動作状態、アイドル状態などである。
【００４４】
状態メッセージは、異常が発生した燃料電池システム３１０の異常部位を示す情報要素を含んでもよい。燃料電池システム３１０が有する部位は、例えば、図２に示す部位（セルスタック１５１Ｂ、ブロワ１５３）である。燃料電池システム３１０が有する部位は、貯湯設備１６０を含んでもよく、リモートコントローラを含んでもよい。
【００４５】
状態メッセージは、停止動作種別を示す情報要素、動作状態種別を示す情報要素及び異常部位を示す情報要素の中から選択された２以上の情報要素を含んでもよい。
【００４６】
状態メッセージは、温度環境を示す情報要素を含んでもよく、設置環境を示す情報要素を含んでもよい。温度環境を示す情報要素は、セルスタック１５１の温度を示す情報要素を含んでもよい。設置環境を示す情報要素は、外気温を示す情報要素を含んでもよい。
【００４７】
制御部２３０は、メモリ及びＣＰＵなどによって構成されており、設備管理装置２００に設けられる各構成を制御する。実施形態において、制御部２３０は、状態メッセージに基づいて、燃料電池システム３１０のメンテナンスの実行が推奨される推奨時間を特定する。ここで、推奨時間は、燃料電池システム３１０の温度が原因でメンテナンスを実行することができない時間を含まない。例えば、制御部２３０は、燃料電池システム３１０の温度が所定温度を下回るタイミング以降の時間を推奨時間として特定する。
【００４８】
制御部２３０は、図４のＮｏ．１に示すように、停止動作種別に基づいて、推奨時間を特定してもよい。停止動作を開始してから停止動作を完了するまでの時間（以下、停止所要時間）は停止動作種別によって異なり、燃料電池システム３１０の温度が低下する速度が停止動作種別によって異なるためである。具体的には、シャットダウンではブロワ１５３又はラジエータ１５６による冷却効果が期待できないため、シャットダウンに伴う停止時間Ｔ２は、通常停止に伴う停止時間Ｔ１よりも長い。従って、制御部２３０は、シャットダウンに対応する推奨時間として、通常停止に対応する推奨時間よりも後の時間を特定する。シャットダウンに対応する推奨時間は、通常停止に対応する推奨時間の一部と重複してもよい。
【００４９】
制御部２３０は、図４のＮｏ．２に示すように、動作状態種別に基づいて、推奨時間を特定してもよい。停止動作を開始する時点における燃料電池システム３１０の温度は動作状態によって異なるためである。具体的には、起動状態又は停止動作状態における燃料電池システム３１０の温度は、発電状態における燃料電池システム３１０の温度よりも低い。すなわち、起動状態に対応する停止時間Ｔ４又は停止動作状態に対応する停止時間Ｔ５は、発電状態に対応する停止時間Ｔ３よりも短い。従って、制御部２３０は、起動状態又は停止動作状態に対応する推奨時間として、発電状態に対応する推奨時間よりも前の時間を特定する。起動状態又は停止動作状態に対応する推奨時間は、発電状態に対応する推奨時間と重複してもよい。アイドル状態における燃料電池システム３１０の温度は、発電状態における燃料電池システム３１０の温度以下である。すなわち、アイドル状態に対応する停止時間Ｔ６は、発電状態に対応する停止時間Ｔ３以下である。従って、制御部２３０は、アイドル状態に対応する推奨時間として、発電状態に対応する推奨時間と同程度の時間又は発電状態に対応する推奨時間よりも前の時間を特定する。アイドル状態に対応する推奨時間は、発電状態に対応する推奨時間と重複してもよい。
【００５０】
制御部２３０は、図４のＮｏ．３に示すように、燃料電池システム３１０の温度環境に基づいて、推奨時間を特定してもよい。燃料電池システム３１０の温度が低下する速度は温度環境によって異なるためである。
【００５１】
制御部２３０は、図４のＮｏ．４に示すように、異常部位に基づいて、推奨時間を特定してもよい。停止動作を開始する時点における異常部位の温度は異常部位毎に異なるためである。具体的には、セルスタック１５１Ｂの温度が最も高温であり、セルスタック１５１Ｂから離れた位置に配置されるほど部位の温度が低い。例えば、制御部２３０は、貯湯設備１６０又はリモートコントローラに対応する推奨時間として、セルスタック１５１Ｂに対応する推奨時間よりも前の時間を特定する。貯湯設備１６０又はリモートコントローラに対応する推奨時間の一部は、セルスタック１５１Ｂに対応する推奨時間と重複してもよい。
【００５２】
制御部２３０は、図４のＮｏ．５に示すように、燃料電池システム３１０の設置環境に基づいて、推奨時間を特定してもよい。燃料電池システム３１０の温度が低下する速度は設置環境によって異なるためである。
【００５３】
ここで、制御部２３０は、停止動作種別、動作状態種別、温度環境、異常部位及び設置環境の中から選択された２以上の情報要素に基づいて、推奨時間を特定してもよい。
【００５４】
さらに、制御部２３０は、正常部位に基づいて、推奨時間を特定してもよい。例えば、全ての部位について正常か否かを特定できる場合には、正常部位以外の部位が異常部位であると考えてもよい。
【００５５】
（設備管理方法）
以下において、実施形態に係る設備管理方法について説明する。図５では、ＥＭＳ３２０が省略されているが、状態メッセージは、ＥＭＳ３２０を経由して送信されてもよい。
【００５６】
図５に示すように、ステップＳ１１において、燃料電池システム３１０は、状態メッセージを設備管理装置２００に送信する。状態メッセージは、停止動作種別を示す情報要素、動作状態種別を示す情報要素及び異常部位を示す情報要素の少なくともいずれか１つの情報要素を含んでもよい。
【００５７】
ステップＳ１２において、設備管理装置２００は、状態メッセージに基づいて、推奨時間を特定する。推奨時間の特定方法は上述した通りである（図４などを参照）。ここで、推奨時間の特定において状態メッセージに含まれる情報要素が参照されない場合であっても、状態メッセージの受信に応じて推奨時間が特定されるため、推奨時間の特定は状態メッセージに基づいている。
【００５８】
ステップＳ１３において、設備管理装置２００は、推奨時間を特定するための情報要素を含む通知メッセージを所定端末４００に送信する。
【００５９】
（作用及び効果）
実施形態では、設備管理装置２００は、状態メッセージに基づいて推奨時間を特定し、推奨時間を含む通知メッセージを所定端末４００に送信する。このような構成によれば、通知メッセージが推奨時間を含むため、メンテナンスを行う業者が燃料電池システム３１０の温度が下がるまで待つ時間を低減することができ、燃料電池システム３１０のメンテナンスを効率的に行うことができる。
【００６０】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６１】
実施形態では、管理部２１０が設備管理装置２００に設けられるが、実施形態はこれに限定されるものではない。例えば、管理部２１０は、ネットワーク１２０を介して設備管理装置２００と接続されるサーバに設けられてもよい。
【００６２】
実施形態で説明したように、状態メッセージは、動作状態種別を示す情報要素を含んでもよい。このようなケースにおいて、状態メッセージは、動作状態種別に対応する動作状態の開始時刻を示す情報要素を含んでもよい。例えば、状態メッセージは、起動状態の開始時刻を示す情報要素を含んでもよく、停止動作状態の開始時刻を示す情報要素を含んでもよい。このような構成によれば、開始時刻から経過した時間に基づいて燃料電池システム３１０の温度を推定することができ、推奨時間の特定精度が向上する。
【００６３】
実施形態では特に触れていないが、状態メッセージは、燃料電池システム３１０の異常が発生した時刻を示す情報要素を含んでもよい。
【００６４】
実施形態において、燃料電池システム３１０は、燃料電池システム３１０の動作を停止する際に、状態メッセージを設備管理装置２００に送信する。しかしながら、実施形態はこれに限定されるものではない。燃料電池システム３１０は、燃料電池システム３１０の動作を停止する前において燃料電池システム３１０の動作の停止が予測される際に、状態メッセージを設備管理装置２００に送信してもよい。このようなケースにおいて、停止動作種別は、燃料電池システム３１０によって予測された異常に応じて停止する停止動作の種別であり、動作状態種別は、燃料電池システム３１０によって予測された異常が発生した時点で想定される燃料電池システム３１０の動作状態の種別であり、異常部位は、燃料電池システム３１０によって予測された異常が発生すると想定される部位である。
【００６５】
実施形態では、推奨時間を特定するための情報要素は、推奨時間を示す情報要素である。しかしながら、実施形態はこれに限定されるものではない。推奨時間を特定するための情報要素は、上述した停止所要時間を示す情報要素であってもよい。停止所要時間によって推奨時間を特定することができるためである。推奨時間を特定するための情報要素は、図４に示す情報要素（停止動作種別、停止動作状態、温度環境、異常部位、設置環境の少なくともいずれか１つの情報要素）であってもよい。これらの情報要素によって推奨時間を特定することができるためである。
【００６６】
実施形態では、推奨時間及び停止所要時間の少なくともいずれか１つは、図４に示す情報要素に基づいて特定可能である。しかしながら、実施形態はこれに限定されるものではない。推奨時間及び停止所要時間の少なくともいずれか１つは、過去における燃料電池システム３１０の異常履歴に基づいて予測されてもよい。このような予測において、図４に示す情報要素が参照されてもよい。
【００６７】
設備管理装置２００、燃料電池システム３１０及び所定端末４００の少なくともいずれか１つは、各種メッセージを表示するディスプレイを有していてもよい。各種メッセージは、例えば、上述した状態メッセージ及び通知メッセージなどである。
【００６８】
燃料電池設備１５０は、固体酸化物型燃料電池（ＳＯＦＣ：Ｓｏｌｉｄ  Ｏｘｉｄｅ  Ｆｕｅｌ  Ｃｅｌｌ）である。但し、燃料電池設備１５０は、固体高分子型燃料電池（ＰＥＦＣ：Ｐｏｌｙｍｅｒ  Ｅｌｅｃｔｒｏｌｙｔｅ  Ｆｕｅｌ  Ｃｅｌｌ）であってもよく、リン酸型燃料電池（ＰＡＦＣ：Ｐｈｏｓｐｈｏｒｉｃ  Ａｃｉｄ  Ｆｕｅｌ  Ｃｅｌｌ）であってもよく、溶融炭酸塩型燃料電池（ＭＣＦＣ：Ｍｏｌｔｅｎ  Ｃａｒｂｏｎａｔｅ  Ｆｕｅｌ  Ｃｅｌｌ）であってもよい。
【００６９】
なお、日本国特許出願第２０１７−１０６２９９号（２０１７年５月３０日出願）の全内容が、参照により、本願明細書に組み込まれている。
【図１】
2020205261.tif 000003
【図２】
2020205261.tif 000004
【図３】
2020205261.tif 000005
【図４】
2020205261.tif 000006
【図５】
2020205261.tif 000007